(57)【要約】【課題】磁気カードに記録された磁気情報と、無線端末から送信される無線電波に含まれる磁気情報とを取り込んで処理すること。【解決手段】カード処理装置１は、カード挿入口１５と、カード挿入検知センサ５と、カード挿入口１５は、磁気カード２００が挿入される。カード挿入検知センサ５は、カード挿入口１５に挿入された磁気カードを検知する。磁気ヘッド４ａは、カード挿入口１５の近傍に配置され、電磁界の変化を検知して磁気信号を出力する。制御部は、カード挿入検知センサが磁気カードを検知した時に、磁気ヘッドから磁気信号を受信し、カード挿入検知センサが磁気カードを検知しない時に、磁気ヘッドから磁気情報を受信し、前記磁気信号が所定のパターンを含む場合は取得し、含まない場合は破棄する。【選択図】図３
2018180754.tif 000002
【特許請求の範囲】
【請求項１】
磁気カードが挿入されるカード挿入口と、
前記カード挿入口に挿入された前記磁気カードを検知するカード挿入検知センサと、
前記カード挿入口の近傍に配置され、電磁界の変化を検知して磁気信号を出力する磁気ヘッドと、
前記カード挿入検知センサが前記磁気カードを検知した時に、前記磁気ヘッドから前記磁気信号を受信し、前記カード挿入検知センサが前記磁気カードを検知しない時に、前記磁気ヘッドから前記磁気信号を受信し、前記磁気信号が所定のパターンを含む場合は取得し、含まない場合は破棄する制御部とを備えるカード処理装置。
【請求項２】
前記制御部は、前記受信した磁気信号が所定周期の場合は取得する、
請求項１に記載のカード処理装置。
【請求項３】
前記制御部は、前記磁気カードを検知せずに受信した前記磁気信号の複数トラックの前記パターンが相互に一致した場合は取得する、
請求項１に記載のカード処理装置。
【請求項４】
前記制御部は、前記磁気カードの前記磁気信号を処理している間、無線端末の前記磁気信号に対する処理を停止する、
請求項１に記載のカード処理装置。
【請求項５】
前記制御部は、前記磁気カードを検知して前記磁気信号を処理している時に、前記磁気カードの前記磁気信号を処理している旨を報知する報知部を更に備える、
請求項４に記載のカード処理装置。
【請求項６】
前記制御部は、無線端末の前記磁気信号を処理している間、前記磁気カードの前記磁気信号に対する処理を停止する、
請求項１に記載のカード処理装置。
【請求項７】
前記制御部は、前記磁気カードを検知せずに前記磁気信号を処理している時に、前記無線端末の前記磁気信号を処理している旨を報知する報知部を更に備える、
請求項６に記載のカード処理装置。
【請求項８】
前記カード挿入口に挿入された前記磁気カードを保持するカードロック部を更に備え、
前記制御部は、当該制御部が無線端末の前記磁気信号を処理している間、前記カードロック部に対して前記カード挿入口への前記磁気カードの挿入を規制させる、
請求項１に記載のカード処理装置。
【請求項９】
前記磁気カードに記録された磁気信号を読み取るカード処理部を備えた自動取引機であって、
前記カード処理部に請求項１乃至８の何れか一項に記載のカード処理装置を搭載する、
自動取引機。
【発明の詳細な説明】
【技術分野】
【０００１】
本発明は、無線式の磁気情報読み取り機能を備えたカード処理装置および自動取引機に関する。
【背景技術】
【０００２】
例えば、現金自動預金支払機（ＡＴＭ：Ａｕｔｏｍａｔｅｄ Ｔｅｌｌｅｒ Ｍａｃｈｉｎｅ）等の取引処理端末には、磁気カードの磁気情報を処理するカード処理装置が搭載されている。このカード処理装置は、利用者が手動で磁気カードをカード挿抜口に挿入もしくはカード挿抜口から抜取る時に、磁気カードの磁気ストライプに記録された磁気情報を、カード挿抜口付近に配置されている磁気ヘッドによって読み取る。
【０００３】
一方、クレジット決済端末では、磁気カードをクレジット決済端末の端面に取り付けられた磁気カード読取部に手動で通すことによって、磁気カードの磁気ストライプに記録された磁気情報を磁気ヘッドで読み込む。
【０００４】
最近では、例えば、上記したカード処理装置や、磁気カード読取部と同様の磁気カードの読取り効果が得られる、「Ｓａｍｓｕｎｇ  Ｐａｙ」、「Ｌｏｏｐ  Ｐａｙ」と呼ばれる技術が実用され始めている。この技術は、磁気情報を無線電波によって送信可能なスマートフォンを、磁気カード読取部の近傍に近づけ、無線電波によって磁気情報をクレジット決済端末やカード処理装置に送る（例えば、特許文献１）。
【先行技術文献】
【特許文献】
【０００５】
【特許文献１】米国特許第８８１４０４６号明細書
【発明の概要】
【発明が解決しようとする課題】
【０００６】
しかし、ＡＴＭに搭載されるカード処理装置は、カード挿入検知センサによって磁気カードが有ると判定した時のみ、磁気ヘッドからの磁気信号を磁気情報として読む。一方、無線電波によって磁気情報を送信する場合、磁気カードは挿入されない。従って、カード挿入検知センサによって磁気カードの検出信号が無いと判定されている間は、無線電波によって送信される磁気情報は、ノイズに相当する無効なデータとして処理されるため、無線電波によって送信される磁気情報を読むことができないという課題がある。
【０００７】
本発明は以上の点を考慮してなされたもので、その目的は、磁気カードに記録された磁気情報と、無線電波に含まれる磁気情報とを取り込んで処理することができるカード処理装置および自動取引機を提供することである。
【課題を解決するための手段】
【０００８】
かかる課題を解決するために本発明においては、カード挿入口と、カード挿入検知センサと、磁気ヘッドと、制御部とを備える。カード挿入口には、磁気カードが挿入される。カード挿入検知センサは、カード挿入口に挿入された磁気カードを検知する。磁気ヘッドは、カード挿入口近傍に配置され、電磁界の変化を検知して磁気信号を出力する。制御部は、カード挿入検知センサが磁気カードを検知した時に、磁気ヘッドから磁気信号を受信し、カード挿入検知センサが磁気カードを検知しない時に、磁気ヘッドから磁気信号を受信し、前記磁気信号が所定パターンを含む場合は取得し、含まない場合は破棄する。
【発明の効果】
【０００９】
本発明によれば、カード処理装置に追加の構成を設けることなく、磁気カードに記録された磁気情報と、無線電波に含まれよる磁気情報とを取り込んで処理することができる。
【図面の簡単な説明】
【００１０】
【図１】実施例１のカード処理装置を搭載したＡＴＭの概略構成図。
【図２】同実施例のカード処理装置の機能を示すブロック図。
【図３】同実施例のカード処理装置の概略構造図。
【図４】同実施例の磁気カードの磁気ストライプトラックの位置を示す図。
【図５】同実施例の磁気ヘッドから出力される磁気ストライプトラックの波形図。
【図６】同実施例の磁気カードによる磁気読取動作のタイムチャート。
【図７】同実施例のカード処理装置の動作のフローチャート。
【図８】同実施例の無線電波による磁気読取動作のタイムチャート。
【図９】実施例２のカード処理装置の機能を示すブロック図。
【図１０】同実施例のカード処理装置の概略構造図。
【図１１】同実施例のカード処理装置の動作のフローチャートである。
【図１２】同実施例の無線電波による磁気読取動作のタイムチャート。
【発明を実施するための形態】
【００１１】
以下、図面に基づいて、幾つかの実施例を詳述する。
【実施例１】
【００１２】
（１−１）カード処理装置の構成
まず、本実施例のカード処理装置１およびＡＴＭ１００の構成について、図１乃至図３を参照して説明する。
【００１３】
図１は、本実施例のカード処理装置を搭載したＡＴＭの概略構造図である。
【００１４】
図１に示すように、カード処理装置１は、例えば、金融機関に設置されたＡＴＭ１００等に搭載される。カード処理装置１は、その利用者２００側の前端部分がＡＴＭ１００の前面よりも突出した状態でＡＴＭ１００に搭載される。カード処理装置１は、ＡＴＭ１００の利用者２００が所有する磁気カード３００（図３参照）を受け付けた時に、当該磁気カード３００に記録された磁気情報を磁気信号として読み取る。一方、カード処理装置１は、利用者２００が所有する無線端末４００から送信される磁気信号を受信した時に、当該無線端末４００の磁気情報を磁気信号として読み取る。
【００１５】
図２は、カード処理装置の機能を示すブロック図である。
【００１６】
具体的には、図２に示すように、カード処理装置１は、制御部２と、記憶部３と、磁気読取部４と、カード挿入検知センサ５と、カード位置検出センサ６と、ホストインタフェイス７と、ランプ１３と、入出力インタフェイス１０とを備え、入出力インタフェイス１０には、ランプ１３とスピーカ１４とが接続される。
【００１７】
制御部２は、例えば、基板に実装されたマイクロコンピュータ（ＣＰＵ）２０から構成され、各部の動作を制御する。記憶部３は、メモリを有し、当該メモリ内に各種の情報を記憶している。
【００１８】
図３は、カード処理装置の概略構造図である。
【００１９】
カード処理装置１の利用者２００側となる前面には、磁気カード３００の挿入抜取口となるカード挿入口１５が形成されていると共に、１つもしくは複数のＬＥＤランプ１３が固定されている。カード処理装置１の上部には、プレート１６が固定されている。プレート１６の後面には、スピーカ１４が配置されている。
【００２０】
磁気読取部４は、磁気ヘッド４ａと、当該磁気ヘッド４ａを駆動するための回路（図示せず）と、磁気読取回路４ｃとから構成される。磁気ヘッド４ａは、ＡＴＭ１００に搭載された状態のカード処理装置１のうちのＡＴＭ１００の前面よりも利用者２００側に突出する部位に配置されている。磁気ヘッド４ａは、電磁界の変化を検知して制御部２に磁気信号を出力する。磁気ヘッド４ａは、例えば、カード処理装置１内に挿入された磁気カード３００の磁気ストライプから磁気情報と、無線端末４００から送信される無線電波から磁気情報とを、磁気信号として読み取る。
【００２１】
カード挿入検知センサ５は、発光素子５ａと受光素子５ｂとから構成されている。発光素子５ａおよび受光素子５ｂは、カード挿入口１５と磁気ヘッド４ａとの間に配置されている。発光素子５ａか
ら発行された光は、磁気カード３００で反射し、受光素子５ｂに戻る。カード挿入検出センサ５は、受光素子５ｂにて受光された光量の変化に基づいて、磁気カード３００が発光素子５ａおよび受光素子５ｂ間を通過して、カード処理装置１内に挿入されたことを検知し、その検知した信号を制御部２に送信する。尚、カード挿入検知センサ５は、スイッチで構成されてもよい。
【００２２】
カード位置検出センサ６は、光センサ発光素子６ａと受光素子６ｂとから構成されている。
光センサ発光素子６ａと受光素子６ｂとは、ＡＴＭ１００に搭載された状態のカード処理装置１のうちの奥側に配置されている。発光素子６ａから発行された光は、磁気カード３００の先端側で反射し、受光素子６ｂに戻る。カード位置検出センサ６は、受光素子６ｂにて受光された光量の変化に基づいて、カード処理装置１内に挿入された磁気カード３００の位置を検知する。ホストインタフェイス７は、ＡＴＭ１００に情報を送受信する回路から構成されている。
【００２３】
（１−２）磁気カード挿入時の動作
図４は、磁気カードの磁気ストライプトラック１からトラック３までの位置を示す図である。
【００２４】
磁気カード３００には、３種類のトラックがある。それぞれのトラックは、トラック１  ３０１と、トラック２  ３０２と、トラック３  ３０３と定義されている。それぞれのトラック１〜３  ３０１〜３０３には、異なる磁気情報が記録されている。これらのトラック１〜３  ３０１〜３０３は、磁気ヘッド４ａに接触した状態で移動することによって磁気ヘッド４ａから３種類の異なる磁気信号が出力され、それら３種類の異なる磁気信号が磁気読取回路４ｃを経て、制御部２に入力される。
【００２５】
図５は、磁気ヘッドから出力される磁気ストライプトラック１〜３の波形を示す図である。
【００２６】
磁気ストライプの記録密度は、例えば、国際規格ＩＳＯ７８１１等で規定されており、磁気ヘッド４ａから出力される磁気波形の１ビットの時間間隔は、磁気カード３００の移動速度によって変化する。本実施例では、磁気ストライプトラック１  ３０１と、磁気ストライプトラック３  ３０３とは、磁気信号の周期が相互に略一致する。一方、磁気ストライプトラック１,３  ３０１，３０３と、磁気ストライプトラック２  ３０２とは、磁気信号の周期が一致しない。
【００２７】
次に、カード処理装置１の制御部２内の構成を説明する。
【００２８】
図３に戻る。カード処理装置１内に挿入された磁気カード２００に磁気情報が書き込まれている場合、磁気カード３００の磁気ストライプの部位が磁気ヘッド４ａに到達すると、磁気ヘッド４ａは、磁気ストライプに書き込まれた磁気情報を磁気信号として磁気読取回路４ｃに出力する。磁気読取回路４ｃは、トラック１  ３０１と、トラック２  ３０２と、トラック３  ３０３とからそれぞれ異なる磁気信号を受信し、制御部２に送信する。
【００２９】
制御部２は、各トラック１〜３  ３０１〜３０３から受信した磁気信号が、磁気カード３００、ノイズまたは無線端末４００の磁気信号の周期であるのか否かを判定する。制御部２は、磁気カード３００の磁気周期であると判定した場合、磁気カード３００に書き込まれた磁気情報を読み取るための磁気読取処理を実行し、磁気カード３００に書き込まれた磁気情報を磁気信号として出力する。制御部２は、出力された磁気信号を、ホストインタフェイス７を介して、上位装置（ＡＴＭ１００）に磁気信号を送信するための通信処理を実行する。
【００３０】
図６は、磁気カード挿入時の磁気読取部の動作を説明するためのタイムチャートである。
【００３１】
磁気カード３００の磁気ストライプ先端付近には、トラック１〜３  ３０１〜３０３毎に異なるタイミングで、プリアンブル部と呼ばれる一定間隔の磁気情報が書き込まれている。カード挿入口１５に挿入された磁気カード３００が磁気ヘッド４ａを通過したときに、トラック１〜３  ３０１〜３０３毎に異なる磁気信号が磁気ヘッド４ａから出力される。
【００３２】
ここで、利用者２００は、磁気カード３００をカード挿入口１５に手で押し込みながら挿入することがある。そのとき、挿入された磁気カード３００の速度は、徐々に早くなり、磁気ヘッド４ａから出力される磁気信号も、徐々に間隔が短くなる。即ち、磁気気ヘッド４ａから出力される磁気信号は、時間軸方向で徐々に密になっている。
【００３３】
磁気カード３００のうちの、磁気ストライプの先端部からプリアンブル部が書込まれている一定部位までが、磁気ヘッド４ａを通過すると、続いて、磁気情報が書き込まれている磁気データ部が磁気ヘッド４ａを通過する。これにより、それぞれのトラック１〜３  ３０１〜３０３毎に異なる磁気情報が磁気ヘッド４ａから磁気信号として出力される。
【００３４】
さらに、制御部２は、磁気カード３００がカード処理装置１内に挿入されている場合、磁気カード３００の磁気信号を処理している間、無線端末４００の磁気信号に対する処理を停止する。それと同時に、制御部２は、その旨の音声ガイダンスをスピーカ１４から出力させると共に、ランプ１３を点灯又は点滅させる。これにより、制御部２は、無線端末４００の無線信号による誤動作を防止する。この際、スピーカ１４とランプ１３とは、無線端末４００の磁気情報に対する処理を停止する旨を報知する報知部として機能する。尚、ＡＴＭ１００が情報の入出力を行うタッチパネルを備える場合、制御部２は、タッチパネルにも、磁気カード３００の磁気信号を処理している間、無線端末４００の磁気信号に対する処理を停止する旨を報知してもよい。
【００３５】
（１−３）磁気カード挿入および無線電波による磁気情報受信時の動作
図１に戻る。利用者２００が、当該利用者２００が所有する無線端末４００を操作して、無線電波によって磁気情報を送信する場合、カード処理装置１の前面近くに配置される磁気ヘッド４ａは、無線端末４００との距離が近く、無線電波による磁気情報を容易に磁気信号として受信することができる。一方、磁気ヘッド４ａは、例えば、無線ＬＡＮ等の外来ノイズも容易に受信する。
【００３６】
次に、カード挿入時と無線端末操作時との磁気情報の読取動作を説明する。
【００３７】
図７は、カード処理装置による磁気読取部の動作のフローチャートである。
【００３８】
制御部２は、カード挿入口１５に磁気カード３００が挿入されると、カード挿入検知センサ５によって磁気カード３００が挿入されたことを検出する（Ｓ７０１：ＹＥＳ、図６参照）。その後、磁気カード３００の磁気ストライプの部位が、磁気ヘッド４ａの位置に到達すると、磁気読取回路４ｃのトラック１回路と、トラック２回路と、トラック３回路とは、それぞれのトラック１〜３  ３０１〜３０３毎に異なるプリアンブル部と磁気データ部とを磁気信号として出力する。制御部２は、出力されたプリアンブル部のパターンが、所定のパターンを含んでいるか否かを判定する（Ｓ７０２）。具体的には、制御部２は、プリアンブル部のパターンが、一定周期のパターンを含んでいるか否かと、トラック１  ３０１と、トラック３  ３０３との磁気信号の周期が、相互に略一致するか否かとを判定する。Ｓ７０２の判定結果が真の場合（Ｓ７０２：ＹＥＳ）、制御部２は、磁気データ部を読み取るための磁気読取処理を実行する（Ｓ７０３）。その後、制御部２は、磁気データ部を磁気信号として出力し、ホストインタフェイス７を介して、ＡＴＭ１００に磁気信号を送信するための通信処理を実行する。尚、Ｓ７０２の判定結果が偽の場合（Ｓ７０２：ＮＯ）、制御部２は、判定した磁気信号を破棄し、判定をやり直す。
【００３９】
一方、利用者２００が、カード挿入検知センサ５が磁気カード３００の挿入を検知せず（Ｓ７０１：ＮＯ）、利用者２００の無線端末４００を使って、無線電波による磁気情報を送信する場合、磁気ヘッド４ａは、無線端末４００から送信される無線電波を受信する。その後、磁気読取回路４ｃは、受信した無線電波から得られた磁気信号を制御部２に出力する。磁気読取回路４ｃのトラック１回路と、トラック２回路と、トラック３回路とは、磁気カード３００とは異なり、同一の磁気信号を出力する。さらに、不定期に発生する外来ノイズとは異なり、磁気ヘッド４ａが一定周期のプリアンブル部を出力するため、制御部２は、出力されたプリアンブル部のパターンが、所定のパターンを含んでいるか否かを判定する（Ｓ７０４）。具体的には、制御部２は、プリアンブル部のパターンが、一定周期のパターンを含んでいるか否かと、磁気読取回路４ｃのトラック１回路と、トラック２回路と、トラック３回路とから出力される磁気信号の周期が、相互に一致するか否かとを判定する。制御部２は、Ｓ７０４の判定結果が真の場合（Ｓ７０４：ＹＥＳ）、即ち受信した磁気信号がノイズではなく、無線端末４００の磁気信号として判定した場合、磁気データ部を読み取るための磁気読取処理を実行する（Ｓ７０５）。制御部２は、読み取った磁気情報を磁気信号として出力し、ホストインタフェイス７を介して、ＡＴＭ１００に磁気データ部を磁気信号として送信するための通信処理を実行する。尚、Ｓ７０２の判定結果が偽の場合（Ｓ７０４：ＮＯ）、制御部２は、判定した磁気信号を破棄し、ステップ７０１に戻る。
【００４０】
図８は、無線電波に含まれる磁気情報を受信する場合の磁気読取動作を説明するためのタイムチャートである。
【００４１】
無線端末４００から送信される無線電波に含まれる磁気信号のプリアンブル部は、決められた一定の周期であり、徐々に周期が早くなるものではない。このため、制御部２は、磁気読取回路４ｃから出力される磁気信号のプリアンブル部の周期が所定の周期である場合、その磁気信号が、無線ＬＡＮ等による外来ノイズではなく、無線端末４００から送信された無線電波による磁気信号であると判別する。その後、制御部２は、磁気読取回路４ｃから出力された磁気信号を読み取り、読み取った磁気信号を、ホストインタフェイス７を介してＡＴＭ１００に送信する。
【００４２】
本実施の形態によれば、カード処理装置１は、カード挿入口１５と、カード挿入検知センサ５と、磁気ヘッド４ａと、制御部２とを備える。カード挿入口１５は、磁気カード３００が挿入される。カード挿入検知センサ５は、カード挿入口１５に挿入された磁気カード３００を検知する。磁気ヘッド４ａは、カード挿入口１５の近傍に配置され、電磁界の変化を検知して磁気信号を出力する。制御部２は、カード挿入検知センサ５が磁気カード３００を検知した時に、記録ヘッド４ａから磁気信号を受信し、カード挿入検知センサ５が磁気カード３００を検知しない時に、記録ヘッド４ａから磁気信号を受信し、それらの磁気信号が、所定のパターンを含む場合は取得し、含まない場合は破棄する。これにより、カード処理装置１は、磁気カード３００に記録された磁気情報と、無線端末４００から送信される無線電波に含まれる磁気情報との両方の磁気情報を取り込んで処理することができる。さらに、カード処理装置１は、無線電波に含まれる磁気情報を読み取るための専用のセンサや装置を新たに別に設けることなく、無線電波による磁気情報を読み取ることができる。
【００４３】
さらに、無線端末４００から無線電波によって磁気情報を送信する前に、例えば、利用者２００が操作ボタンを押す必要がなく、利用者２００の利便性を向上することができる。
【００４４】
さらに、制御部２は、外来のノイズを含む磁気信号を記録ヘッド４ａから受信し、当該磁気信号が所定のパターンを含む場合は取得し、含まない場合は破棄する。これにより、カード処理装置１は、カード挿入検知センサ５の機能を無効にすることなく、無線端末４００から送信される無線電波に含まれる磁気情報を読み取る時でも、無線ＬＡＮ等の外来のノイズが発生する度に、カード処理装置１が誤動作することを抑制することができる。
【００４５】
さらに、制御部２は、受信した磁気信号が所定周期の場合は取得するので、信号を容易かつ高精度に読み取ることができる。
【００４６】
さらに、無線電波による磁気情報を受信する場合、トラック１回路と、トラック２回路と、トラック３回路とは、同一の磁気データを出力する。そのため、制御部２は、３つのトラックデータを比較し、各トラック１〜３  ３０１〜３０３の磁気パターン（データ）が相互に一致するか否かを確認し、相互に一致した場合は所得する。これにより、磁気データを読み取る信頼性を向上することができる。
【００４７】
さらに、制御部２は、磁気カード３００に記録された磁気信号を処理している間、無線端末４００からの磁気信号に対する処理を停止する。これにより、制御部３００が磁気カード３００に記録された磁気信号の処理している間、無線端末４００や外乱のノイズを受信したとしても、無線端末４００からの磁気情報と、磁気カード３００に記録された磁気情報との混在を防ぐことができる。
【００４８】
さらに、スピーカ１４およびランプ１３は、制御部２が磁気カード３００を検知して磁気信号を処理している間、無線端末４００からの磁気信号の処理を停止する旨を報知する。これにより、磁気カード３００に記録された磁気信号の処理中に、利用者２００が無線端末４００から磁気信号を送信しようとする誤操作を抑制することができる。
【実施例２】
【００４９】
（２−１）カード処理装置の構成
次に、第２実施例について図９および図１０を参照して説明する。本実施例に係るカード処理装置１の構成における、第１実施例と同様箇所については詳細な説明を省略し、以下では、第１実施例とは異なるＩＣカード通信部８およびカードロック部９に係わる構成および動作について詳細に説明する。
【００５０】
図９は、第２実施例に係るカード処理装置の機能を示すブロック図である。
【００５１】
本実施例のカード処理装置１は、ＩＣカード通信部８と、カードロック部９とを更に備えている。
【００５２】
図１０は、カード処理装置の概略構造図である。
【００５３】
ＩＣカード通信部８は、ＩＣ接点ユニット８ａと、ＩＣカードに対して信号を送受信するための回路（図示せず）とから構成される。ＩＣカード通信部８は、ＩＣ接点ユニット８ａがＩＣカードに接触されることによって、ＩＣカードと通信する。具体的には、ＩＣカード通信部８は、カード挿入口１５に挿入されたＩＣカードのＩＣチップに記録された情報を読み込んで、当該情報を制御部２に提供する。
【００５４】
カードロック部９は、カードロックレバー９ａと、ソレノイド９ｂと、回路（図示せず）とを有する。カードロックレバー９ａは、ＩＣカード通信部８ａによるＩＣカードとの通信中に該ＩＣカードが抜かれることを防止する。ソレノイド９ｂは、カードロックレバー９ａを磁気カード３００の搬送面に出没させる。尚、制御部２、記録部３、磁気読取部４、カード挿入検知センサ５、カード位置センサ６、ホストインタフェイス７、ＩＣカード通信部８、ランプ１３、スピーカ１４および入出力インタフェイス１０は、第１実施例と同様の構成のため、説明は省略する。
【００５５】
図１１は、無線電波に含まれる磁気情報を受信する場合の磁気読取動作を説明するためのタイムチャートである。
【００５６】
（２−２）磁気カード挿入時の磁気情報の読み取り時の動作
磁気カード３００の挿入時の動作は（Ｓ７０１〜Ｓ７０３）、第１実施例と同様であるため、説明は省略する。
【００５７】
（２−３）無線電波による磁気情報読み取り時の動作
無線端末４００から送信される無線電波に含まれる磁気情報の読み取り時の動作について、第１実施例と同様箇所については詳細な説明を省略し、以下では、第１実施例とは異なるカードロック部９に係わる動作について、図９を参照して説明する。
【００５８】
無線端末４００からの無線電波に含まれる磁気情報読取時の動作は、利用者２００の無線端末４００を使った無線電波による磁気情報の送信から、無線端末４００の磁気信号として判定までは（Ｓ７０１，Ｓ７０４）、第１実施例と同様の構成である。そのため、この無線端末４００の磁気信号として判定するまでの動作の説明は省略する。
【００５９】
受信した信号が無線端末４００の磁気信号として判定された後（Ｓ７０４：ＹＥＳ）、制御部２は、ソレノイド９ｂを制御し、カードロックレバー９ａをカード搬送面に移動させて磁気カード３００をロックする（Ｓ７１２０１）。これにより、カード処理装置１内に挿入されたがカード処理装置１から抜き出されないようにすると同時に、他の磁気カード３００がカード処理装置１内に新たに挿入できないようにすることによって、誤動作を防止する。最後、制御部２は、第１実施例と同様に、無線電波によって送信される磁気情報を磁気データとして読み取るための磁気読取処理を実行し（Ｓ７０５）、その後、カードロックレバー９ａを元の位置に移動させて磁気カード３００のロックを解除する（Ｓ１２０２）。
【００６０】
図１２は、無線端末４００から送信される無線電波に含まれる磁気情報を受信する場合の動作を説明するためのタイムチャートである。
【００６１】
制御部２は、無線端末４００から送信された無線電波に含まれる磁気信号であると判別した時点で、カードロック制御を行い、カードロックレバー９ａを下して磁気カード３００の挿入を防止する。それと同時に、制御部２は、磁気読取回路４ｃから出力された信号を磁気情報として読み取り、読み取った磁気情報を、ホストインタフェイス７を介してＡＴＭ１００に送信する。
【００６２】
本実施の形態によれば、カード挿入口１５に挿入された磁気カード３００を保持するカードロック部９を更に備え、制御部２は、制御部２が前記無線端末の磁気信号を処理している間、前記カードロック部９に対してカード挿入口１５への磁気カード３００の挿入を規制させる。これにより、無線端末４００から送信される無線電波に含まれる磁気情報を受信するときに、磁気カード３００に記録された磁気情報と、無線端末４００から送信される無線電波に含まれる磁気情報と、を別々に取り込んで処理することができる。
【実施例３】
【００６３】
実施例３に係るカード処理装置について説明する。
【００６４】
前述した実施例の磁気カード３００の挿入時の磁気読取部４の動作の説明では、制御部２は、磁気カード３００の磁気信号を処理している間、無線端末４００の磁気信号に対する処理を停止していた。しかし、実施例３に係るカード処理装置の制御部２は、無線端末４００の磁気信号を処理している間、磁気カード３００の磁気信号に対する処理を停止する。これにより、例えば、無線端末４００の磁気情報を読み取っている間に、利用者２００が磁気カード３００を挿入したとしても、無線端末４００の磁気情報と、磁気カード３００の磁気情報との混在を防ぐことができる。
【００６５】
尚、スピーカ１４およびランプ１３は、制御部２が無線端末４００の磁気信号を処理している間、磁気カード３００の磁気信号に対する処理を停止する旨を報知してもよい。これにより、無線端末４００の磁気信号の処理中に、利用者２００は、制御部２が処理中であることを容易に認識することができ、磁気カード３００を引き抜いたり、カード処理装置１内に磁気カード３００を挿入しようとする誤操作を防ぐことができる。特に、無線端末４００の磁気信号の処理中に、その無線端末４００が磁気ヘッド４ａから遠ざけられ、磁気信号が途中から受信できない不具合を抑制することができる。さらに、ＡＴＭ１００が情報の入出力を行うタッチパネルを備える場合、制御部２は、タッチパネルにも、無線端末４００の磁気信号を処理中は、無線端末４００の無線信号に対する処理を停止する旨を報知してもよい。
【００６６】
尚、本発明は、上記した実施例に限定されるものではなく、様々な変形例が含まれる。
【００６７】
例えば、上記した実施例におけるカード処理装置１をＡＴＭ１００等の自動取引機に適用することができる。具体的には、情報の入出力を行う入出力部（タッチパネル）と、磁気カード３００に記録された磁気情報を読み取って処理するカード処理部（カードリーダ）と、レシートに情報を記録して処理するレシート処理部と、現金（紙幣と硬貨とを含む）の入出力を行う現金処理部と、全体を統括制御すると共に、データベースと情報との送受信を行う制御部とを備えた自動取引機を構成する場合、カード処理部に、カード処理装置１の構成要素を搭載することができる。
【００６８】
上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００６９】
また、上記の各構成、機能等は、それらの一部又は全部を、例えば、集積回路で設計する等によってハードウェアで実現してもよい。また、上記の各構成、機能等は、プロセッサがそれぞれの機能を実現するプログラムを解釈し、実行することによってソフトウェアで実現してもよい。各機能を実現するプログラム、テーブル、ファイル等の情報は、メモリ、ハードディスク、およびＳＳＤ（Ｓｏｌｉｄ Ｓｔａｔｅ Ｄｒｉｖｅ）等の記録装置、又は、ＩＣカード、ＳＤカード、およびＤＶＤ等の記録媒体に記録することができる。
【符号の説明】
【００７０】
１…カード処理装置、２…制御部、４ａ…磁気ヘッド、５…カード挿入検知センサ、９…カードロック部、１３…ランプ、１４…スピーカ、１００…ＡＴＭ、３００…磁気カード、４００…無線端末
【図１】
2018180754.tif 000003
【図２】
2018180754.tif 000004
【図３】
2018180754.tif 000005
【図４】
2018180754.tif 000006
【図５】
2018180754.tif 000007
【図６】
2018180754.tif 000008
【図７】
2018180754.tif 000009
【図８】
2018180754.tif 000010
【図９】
2018180754.tif 000011
【図１０】
2018180754.tif 000012
【図１１】
2018180754.tif 000013
【図１２】
2018180754.tif 000014